(57)【要約】【課題】  高画素化に対応しつつ、特に小型の情報端末機器への搭載に適した、低コストでコンパクトなズーム光学系を実現する。【解決手段】  物体側から順に、負の第１群１１と正の第２群１２と正の第３群１３とを備え、ズーム時に第１群１１と第２群１２とが移動する。第１群１１は、非球面を有する負の屈折力の第１レンズＧ１と、正の屈折力を有する第２レンズＧ２とで構成され、第２群１２は、非球面を有し近軸近傍において物体側に凸面を向けた正の屈折力のガラス製の第３レンズＧ３と、負の屈折力を有する両凹形状の第４レンズＧ４と、第５レンズＧ５とで構成され、第３群１３は、正の屈折力を有する両凸形状の第６レンズＧ６一枚のみで構成されている。第１レンズＧ１または第６レンズＧ６の少なくとも１枚が合成樹脂製のレンズとなっている。【選択図】      図１
2005274663.tif 000002
【特許請求の範囲】
【請求項１】
物体側から順に、負の屈折力を持つ第１群と、明るさ絞りと、正の屈折力を持つ第２群と、正の屈折力を持つ第３群とからなり、ズーム時に前記第１群と前記第２群とが光軸上を移動するように構成され、
前記第１群は、物体側から順に、非球面を有する負の屈折力の第１レンズと、正の屈折力を有する第２レンズとで構成され、
前記第２群は、物体側から順に、非球面を有し近軸近傍において物体側に凸面を向けた正の屈折力のガラス製の第３レンズと、負の屈折力を有する両凹形状の第４レンズと、第５レンズとで構成され、
前記第３群は、正の屈折力を有する両凸形状の第６レンズ１枚のみで構成され、
前記第１レンズまたは前記第６レンズの少なくとも１枚が合成樹脂製のレンズであり、
かつ以下の条件式を満足するように構成されている
ことを特徴とする合成樹脂製レンズを有するズームレンズ。
４．０＜Ｔｗ／ｆｗ＜５．５  ……（１）
１．１＜ｆ２ｇ／ｆｗ＜１．６  ……（２）
ただし、
ｆｗ：広角端での全系の焦点距離
Ｔｗ：広角端での共役距離（全長）
ｆ２ｇ：第２群の焦点距離
【請求項２】
前記第２群の最も像側にある前記第５レンズが、非球面を有する合成樹脂製のレンズであり、近軸近傍において物体側に凸面を向けたメニスカス形状を有し、
かつ以下の条件式を満足するように構成されている
ことを特徴とする請求項１に記載の合成樹脂製レンズを有するズームレンズ。
｜ｆｗ／ｆｇ５｜＜１５  ……（２−２）
ただし、
ｆｇ５：第５レンズの焦点距離
【請求項３】
さらに以下の条件式を満足するように構成されている
ことを特徴とする請求項１または２に記載の合成樹脂製レンズを有するズームレンズ。
｜ｆ３／ν３＋ｆ４／ν４｜／ｆｗ＜０．０６  ……（３）
ただし、
ｆ３：第３レンズの焦点距離
ｆ４：第４レンズの焦点距離
ν３：第３レンズのアッベ数
ν４：第４レンズのアッベ数
【請求項４】
さらに以下の条件式を満足するように構成されている
ことを特徴とする請求項１ない３のいずれか１項に記載の合成樹脂製レンズを有するズームレンズ。
０．４＜ＤＧ４／ｆｗ＜０．７  ……（４）
ただし、
ＤＧ４：第４レンズの中心厚
【請求項５】
前記第１レンズおよび前記第３レンズは共に、両面が非球面であり、かつ前記第１レンズが合成樹脂製のレンズである
ことを特徴とする請求項１ない４のいずれか１項に記載の合成樹脂製レンズを有するズームレンズ。
【請求項６】
さらに前記第６レンズが合成樹脂製のレンズである
ことを特徴とする請求項５に記載の合成樹脂製レンズを有するズームレンズ。
【発明の詳細な説明】
【技術分野】
【０００１】
本発明は、例えばカメラ付き携帯電話やＰＤＡ（Personal Digital Assistant）等の小型の情報端末機器への搭載に適した、合成樹脂製レンズ（プラスチックレンズ）を有するズームレンズに関する。
【背景技術】
【０００２】
近年、パーソナルコンピュータの一般家庭等への普及に伴い、撮影した風景や人物像等の画像情報をパーソナルコンピュータに入力することができるデジタルスチルカメラ（以下、単にデジタルカメラという。）が急速に普及しつつある。また携帯電話の高機能化に伴い、小型の撮像モジュールを搭載したカメラ付き携帯電話も急速に普及してきている。その他、ＰＤＡ等の小型の情報端末機器においても撮像モジュールを搭載したものが普及してきている。
【０００３】
これらの撮像機能を備えた機器では、ＣＣＤ（Charge Coupled Device：電荷結合素子）やＣＭＯＳ（Complementary Metal Oxide Semiconductor）などの撮像素子が用いられている。これらの撮像素子は近年、非常に小型化および高画素化が進んでおり、それに伴って、撮像機器本体、ならびにそれに搭載されるレンズにも、高い解像性能と共に構成のコンパクト化が求められている。例えばカメラ付き携帯電話等においても、１００万画素以上のメガピクセル対応のものが実用化され、性能面に対する要求も高くなってきている。
【０００４】
ところで、撮像素子を用いた撮像機器においてズーム機能を実現する方法としては、光学ズーム方式と電子ズーム方式とがある。光学ズーム方式は、撮影レンズとしてズームレンズを搭載し、光学的に撮影倍率を変えるものである。電子ズーム方式は、信号処理により画像をトリミングするなどして、電子的に被写体像の大きさを変えるようにしたものである。一般に、光学ズーム方式の方が、電子ズーム方式よりも高い解像性能を得ることができる。このため、高い解像性能でズームを行う場合には、光学ズーム方式の方が好ましい。
【０００５】
従来、デジタルカメラ等に用いられる比較的小型のズームレンズとしては、例えば以下の特許文献１に記載のものがある。特許文献１には、全体として５枚または６枚のレンズで構成された２群ズーム方式のズームレンズが記載されている。
【特許文献１】特開２００３−２７０５３３号公報
【発明の開示】
【発明が解決しようとする課題】
【０００６】
カメラ付き携帯電話等の小型の情報端末機器においては、従来、コストや小型化の点で固定焦点レンズを用いているものが一般的であるが、最近の高機能化、多機能化に伴い、ズーム機能への要求がある。そのため最近では、固定焦点レンズを用いたカメラ付き携帯電話等においても、電子ズーム方式を採用することによりズーム機能を実現しているものがある。しかしながら、電子ズーム方式の場合、像の拡大率が大きくなるほど解像度が劣化するので、近年の撮像素子の高画素化に対応するのが難しくなってきている。
【０００７】
そこで、カメラ付き携帯電話等においてもズームレンズを搭載し、光学ズーム方式を採用することが考えられる。この場合、従来のデジタルカメラ用に開発された高性能なズームレンズをそのまま使用することは、コスト面とコンパクト性との点で現実的ではない。上記特許文献１に記載のズームレンズも、デジタルカメラ用としては比較的少ないレンズ枚数で小型化も図られているものの、小型の情報端末機器に用いる場合には、これよりもさらに小型化が図られ、またローコスト化が図られていることが好ましい。一方、従来でも３枚程度で構成された低コストでコンパクトなズームレンズが開発されているが、それでは高画素化に対応するのが難しくなる。
【０００８】
本発明はかかる問題点に鑑みてなされたもので、その目的は、高画素化に対応しつつ、特に小型の情報端末機器への搭載に適した、低コストでコンパクトなズーム光学系を実現できる、合成樹脂製レンズを有するズームレンズを提供することにある。
【課題を解決するための手段】
【０００９】
本発明による合成樹脂製レンズを有するズームレンズは、物体側から順に、負の屈折力を持つ第１群と、正の屈折力を持つ第２群と、正の屈折力を持つ第３群とを備え、ズーム時に第１群と第２群とが光軸上を移動するように構成されている。第１群は、物体側から順に、非球面を有する負の屈折力の第１レンズと、正の屈折力を有する第２レンズとで構成されている。第２群は、物体側から順に、非球面を有し近軸近傍において物体側に凸面を向けた正の屈折力のガラス製の第３レンズと、負の屈折力を有する両凹形状の第４レンズと、第５レンズとで構成されている。第３群は、正の屈折力を有する両凸形状の第６レンズ１枚のみで構成されている。また、第１レンズまたは第６レンズの少なくとも１枚が合成樹脂製のレンズで構成されている。さらに、以下の条件式を満足するように構成されている。
【００１０】
４．０＜Ｔｗ／ｆｗ＜５．５  ……（１）
１．１＜ｆ２ｇ／ｆｗ＜１．６  ……（２）
ただし、ｆｗは広角端での全系の焦点距離、Ｔｗは広角端での共役距離（全長）、ｆ２ｇは第２群の焦点距離を示す。
【００１１】
このズームレンズにおいて、第５レンズは、非球面を有する合成樹脂製のレンズで、近軸近傍において物体側に凸面を向けたメニスカス形状であり、かつ以下の条件式を満足するように構成されていることが好ましい。
｜ｆｗ／ｆｇ５｜＜１５  ……（２−２）
ただし、ｆｇ５は第５レンズの焦点距離を示す。
【００１２】
このズームレンズはまた、以下の条件式を満足するように構成されていることが好ましい。
｜ｆ３／ν３＋ｆ４／ν４｜／ｆｗ＜０．０６  ……（３）
０．４＜ＤＧ４／ｆｗ＜０．７  ……（４）
ただし、ｆ３は第３レンズの焦点距離、ｆ４は第４レンズの焦点距離、ν３は第３レンズのアッベ数、ν４は第４レンズのアッベ数を示す。ＤＧ４は第４レンズの中心厚を示す。
【００１３】
このズームレンズにおいて、第１レンズおよび第３レンズは共に、両面が非球面であり、かつ第１レンズが合成樹脂製のレンズであることが好ましい。この場合さらに、第６レンズが合成樹脂製のレンズであることが好ましい。
【００１４】
本発明によるズームレンズでは、第１群と第２群とを光軸上で移動させることによりズームが行われる。フォーカス調整は、第３群で行うようにしても良いが、第３群をズーム時およびフォーカス調整時に固定にした方が、移動群を少なくする点で有利となり、また、機械的な強度や堅牢性の点で有利となるので好ましい。第３群を固定群とした場合、フォーカス調整は、例えば第１群単体、または第１群と第２群とを近距離撮影時に前側に繰り出すことにより行うことができる。
【００１５】
このズームレンズでは、３群６枚構成として、例えば上記特許文献１に記載の５枚構成のズームレンズに比べてレンズ枚数を増やすことで、それよりも明るい性能が得られ、また収差が良好に補正されている。また、合成樹脂製のレンズを用いることで、低コスト化が図られている。さらに全長を短くするために、非球面レンズを用いている。これらに加えて、特に条件式（１），（２）を満足してパワー配分を適切なものとすることで、全長が短くコンパクトな光学系が実現される。さらに、上記した好ましい条件を必要に応じて適宜採用することで、収差の補正にさらに有利となり、高画素化に対応した高性能なズーム光学系が得られる。
【発明の効果】
【００１６】
本発明による合成樹脂製レンズを有するズームレンズによれば、３群６枚構成として、非球面レンズや合成樹脂製のレンズを適切に用い、かつ各条件式を満足してパワー配分などが適切なものとなるように構成したので、高画素化に対応しつつ、特に小型の情報端末機器への搭載に適した、低コストでコンパクトなズーム光学系を実現できる。
【発明を実施するための最良の形態】
【００１７】
以下、本発明の実施の形態について図面を参照して詳細に説明する。
【００１８】
図１（Ａ），（Ｂ）は、本発明の一実施の形態に係るズームレンズの一構成例を示している。この構成例は、後述の第１の数値実施例（図２（Ａ），（Ｂ））のレンズ構成に対応している。なお、図１（Ａ）は広角端でのレンズ配置、図１Ｂ）は望遠端でのレンズ配置を示す。
【００１９】
図１（Ａ）において、符号Ｒｉは、絞りＳｔも含めて、最も物体側の構成要素の面を１番目として、像側（結像側）に向かうに従い順次増加するようにして符号を付したｉ番目（ｉ＝１〜１５）の面の曲率半径を示す。符号Ｄｉは、ｉ番目の面とｉ＋１番目の面との光軸Ｚ１上の面間隔を示す。
【００２０】
このズームレンズは、特に小型の撮像素子を用いた撮像機器、例えばカメラ付き携帯電話等の小型の情報端末機器に搭載して好適なものである。このズームレンズは、光軸Ｚ１に沿って、負の屈折力を持つ第１群１１と、正の屈折力を持つ第２群１２と、正の屈折力を持つ第３群１３とを備えている。第２群１２の物体側には、明るさ絞りＳｔが設けられている。
【００２１】
このズームレンズの結像面（撮像面）Ｓｉｍｇには、図示しないＣＣＤなどの撮像素子が配置される。最終レンズ群である第３群１３と撮像面Ｓｉｍｇとの間には、レンズを装着するカメラ側の構成に応じて、種々の光学部材が配置されていても良い。図示した構成例では、撮像面Ｓｉｍｇを保護するためのカバーガラスＧＣが配置されている。その他、赤外線カットフィルタやローパスフィルタなどの光学部材が配置されていても良い。
【００２２】
このズームレンズは、２群ズーム方式となっており、第１群１１と第２群１２とを光軸上で移動させることによりズームが行われるようになっている。第１群１１と第２群１２は、広角端から望遠端へとズーミングさせるに従い、おおよそ図１（Ａ），（Ｂ）に実線で示した軌跡を描くように移動する。フォーカス調整は、例えば第３群１３で行うようになっている。ただし、第３群１３を固定群とし、例えば第１群１１単体、または第１群１１と第２群１２との双方を近距離撮影時に前側に繰り出すことによりフォーカス調整を行うようにしても良い。
【００２３】
第１群１１は、第１レンズＧ１と第２レンズＧ２とで構成されている。第１レンズＧ１は、少なくとも１面が非球面の非球面レンズからなり、負の屈折力を有している。第１レンズＧ１を両面非球面にした場合、合成樹脂製レンズで構成することが好ましい。第１レンズＧ１は、近軸近傍において例えば両凹形状となっている。第２レンズＧ２は、正の屈折力を有している。第２レンズＧ２は例えば、物体側に凸面を向けた正のメニスカスの球面レンズとなっている。
【００２４】
第２群１２は、第３レンズＧ３、第４レンズＧ４、および第５レンズＧ５で構成されている。第３レンズＧ３は、少なくとも１面が非球面のガラス製の非球面レンズである。第３レンズＧ３は、正の屈折力を有し、近軸近傍において物体側に凸面を向け、例えば両凸形状となっている。第３レンズＧ３の像側の面は、例えば周辺に行くに従い近軸近傍とは異なる符号の曲率を持つ形状、すなわち近軸近傍において像側に凸形状で周辺に行くに従い凹形状となっていることが好ましい。第４レンズＧ４は、負の屈折力を有する両凹形状の球面レンズとなっている。
【００２５】
第５レンズＧ５は、例えば少なくとも１面が非球面の合成樹脂製のレンズである。第５レンズＧ５は、例えば近軸近傍において物体側に凸面を向けたメニスカス形状を有している。
【００２６】
第３群１３は、第６レンズＧ６一枚のみで構成されている。第６レンズＧ６は、正の屈折力を有し、両凸形状の球面レンズとなっている。第６レンズＧ６は、合成樹脂製のレンズであることが好ましい。
【００２７】
このズームレンズは、以下の条件式（１），（２）を満足するように構成されている。ただし、ｆｗは広角端での全系の焦点距離、Ｔｗは広角端での共役距離（全長）、ｆ２ｇは第２群１２の焦点距離を示す。
４．０＜Ｔｗ／ｆｗ＜５．５  ……（１）
１．１＜ｆ２ｇ／ｆｗ＜１．６  ……（２）
【００２８】
条件式（２）に関しては、さらに以下の数値範囲であることが好ましい。
１．１＜ｆ２ｇ／ｆｗ＜１．３  ……（２Ａ）
【００２９】
このズームレンズはさらに、第２群１２に関し、以下の条件式の少なくとも１つを満足するように構成されていることが好ましい。ただし、ｆｇ５は第５レンズＧ５の焦点距離を示す。ｆ３は第３レンズＧ３の焦点距離、ｆ４は第４レンズＧ４の焦点距離、ν３は第３レンズＧ３のアッベ数、ν４は第４レンズＧ４のアッベ数を示す。ＤＧ４は第４レンズＧ４の中心厚を示す。
｜ｆｗ／ｆｇ５｜＜１５  ……（２−２）
｜ｆ３／ν３＋ｆ４／ν４｜／ｆｗ＜０．０６  ……（３）
０．４＜ＤＧ４／ｆｗ＜０．７  ……（４）
条件式（３）に関しては、さらに以下の数値範囲であることが、より好ましい。
｜ｆ３／ν３＋ｆ４／ν４｜／ｆｗ＜０．０３  ……（３Ａ）
【００３０】
このズームレンズはさらに、第２群１２および第３群１３に関し、以下の条件式を満足するように構成されていることが好ましい。ｆ５は第５レンズＧ５の焦点距離、ｆ６は第６レンズＧ６の焦点距離、ν５は第５レンズＧ５のアッベ数、ν６は第６レンズＧ６のアッベ数を示す。
６５＜｜ν３／ｆ３＋ν４／ｆ４＋ν５／ｆ５＋ν６／ｆ６｜×ｆｗ＜７５  ……（５）
【００３１】
次に、以上のように構成されたズームレンズの作用および効果を説明する。
【００３２】
このズームレンズでは、第１群１１と第２群１２とを光軸上で移動させることによりズームが行われる。フォーカス調整は、第３群１３で行うようにしても良いが、第３群１３をズーム時およびフォーカス調整時に固定にした方が、移動群を少なくする点で有利となり、また、機械的な強度や堅牢性の点で有利となるので好ましい。また、第１群１１と第２群１２の双方をフォーカス群として移動させる方が、個々の群の移動量を少なくできるので好ましい。この場合、第１群１１のパワーと第２群１２のパワーとを第３群１３のパワーよりも相対的に強くした方が、ズーム時およびフォーカス時の移動量が少なく済むので好ましい。
【００３３】
このズームレンズでは、明るさ絞りＳｔを比較的前側、すなわち第３レンズＧ３の前側に配置することで、それよりも後側に配置する場合に比べて第１群１１の有効径を小さくし、レンズ全体の小型化を図っている。
【００３４】
このズームレンズでは、３群６枚構成として、例えば上記特許文献１（特開２００３−２７０５３３号公報）に記載の５枚構成のズームレンズに比べてレンズ枚数を増やすことで、それよりも明るい性能が得られ、また収差が良好に補正されている。また、合成樹脂製のレンズを用いることで、低コスト化が図られている。合成樹脂製のレンズは、ガラス製のレンズに比べて温度による光学特性の変化が大きい。特に、温度変化によるピントずれや像面の変動が問題となる。このズームレンズでは、負の第１レンズＧ１または正の第６レンズＧ６の少なくとも１枚が合成樹脂製のレンズとなっているが、１枚のみを合成樹脂製のレンズとするよりも、正、負の２枚を合成樹脂製のレンズとした方が、温度補償がなされピント移動量を少なくできるので好ましい。ところで、小型の撮影レンズの場合、最近では移動機構としてピエゾ素子を用いた小型のアクチュエータにより複数の移動群を独立、かつ自由に移動制御することが可能となってきている。したがって、温度による光学特性の変化があったとしても、それを補正するように、例えば第１群１１と第２群１２とを移動制御することが比較的容易であり、合成樹脂製のレンズを多用したとしてもそれほど問題とはならない。
【００３５】
またこのズームレンズでは、非球面レンズを多用することにより、収差を良好に補正しつつ、全長を短くしている。これらに加えて、各条件式を満足してパワー配分などを適切なものとすることで、上記特許文献１に記載のズームレンズに比べて全長が短くコンパクトで、高画素化に対応した高性能なズーム光学系が得られる。
【００３６】
条件式（１）は、レンズ系の全長に関するものである。条件式（１）の下限を下回り、全長を短くしすぎると、特に望遠端での性能を維持することが困難となる。また条件式（１）の上限を上回ると、性能は良くなるが、全長が長くなりすぎ実際に製品化した場合の市場競争力が失われてしまう。
【００３７】
条件式（２）は、２つのズーム移動群のうち後側の移動群である第２群１２のパワーに関するものである。条件式（２）を満足して第２群１２のパワーを比較的強くした方が、全長を短くしやすくなるので好ましい。
【００３８】
条件式（２−２）は、第２群１２内の最終レンズである第５レンズＧ５のパワーに関するものである。特に第５レンズＧ５を合成樹脂製のレンズとした場合、条件式（２−２）を満足して比較的パワーを小さくした方が、温度変化によるピント移動量および像面の変動量を少なくできるので好ましい。
【００３９】
条件式（３）は、第２群１２内における正の第３レンズＧ３および負の第４レンズＧ４の色消しの条件に関する。条件式（３）を満足するように適切な硝材を選択することで、第２群１２内部で良好な色消しを行うことができる。
【００４０】
条件式（４）は、第４レンズＧ４の中心厚の適切な範囲を規定している。条件式（４）を満足するように中心厚を適切な値にすることで、ズーム時の像面の変動を小さくでき、特に、中間域での像面位置を良好に保つことができる。また、軸上色収差を小さくするのにも有利となる。また、条件式（４）の下限を超えて中心厚が薄くなりすぎると、第４レンズＧ４を含む第２群１２全体の前側主点位置が後ろへ移動し、特に長焦点時における第１群１１と第２群１２との間の間隔が十分で無くなってしまうので好ましくない。
【００４１】
条件式（５）は、第２群１２および第３群１３内の各レンズのアッベ数の条件に関する。この条件を満足するように適切な硝材を選択することで、色収差に関して、接合レンズを用いた場合と同等の良好な性能を満足できる。さらに、全長を小さくするのにも有利となる。
【００４２】
以上のようにして、本実施の形態によれば、合成樹脂製レンズを有効に用いて、高画素化に対応しつつ、特に小型の情報端末機器への搭載に適した、低コストでコンパクトなズーム光学系を実現できる。
【実施例】
【００４３】
次に、本実施の形態に係るズームレンズの具体的な数値実施例について説明する。以下では、第１および第２の数値実施例（実施例１，２）をまとめて説明する。図２（Ａ），（Ｂ）は、第１の数値実施例であり、図１（Ａ），（Ｂ）に示したズームレンズの断面構成に対応する具体的なレンズデータを示している。また図３（Ａ），（Ｂ）は、第２の数値実施例である。この実施例２に係るズームレンズの断面構成は、図１（Ａ），（Ｂ）と類似しているので省略する。なお、図２（Ａ）および図３（Ａ）には、その実施例のレンズデータのうち基本的なデータ部分を示し、図２（Ｂ）および図３（Ｂ）には、その実施例のレンズデータのうち非球面形状に関するデータ部分を示す。
【００４４】
図２（Ａ）および図３（Ａ）の各レンズデータにおける面番号Ｓｉの欄には、各実施例のズームレンズについて、絞りＳｔ，カバーガラスＧＣも含めて最も物体側の構成要素の面を１番目として、像側に向かうに従い順次増加するようにして符号を付したｉ番目（ｉ＝１〜１５）の面の番号を示している。曲率半径Ｒｉの欄には、図１（Ａ）において付した符号Ｒｉに対応させて、物体側からｉ番目の面の曲率半径の値を示す。面間隔Ｄｉの欄についても、図１等において付した符号に対応させて、物体側からｉ番目の面Ｓｉとｉ＋１番目の面Ｓｉ＋１との光軸上の間隔を示す。曲率半径Ｒｉおよび面間隔Ｄｉの値の単位はミリメートル（ｍｍ）である。Ｎｄｊ，νdｊの欄には、カバーガラスＧＣも含めて、物体側からｊ番目（ｊ＝１〜７）の光学要素のｄ線（５８７．６ｎｍ）に対する屈折率、およびアッベ数の値を示す。
【００４５】
各実施例のズームレンズ共に、変倍に伴って第１群１１および第２群１２が光軸上を移動するため、これらの各群の前後の面間隔Ｄ４，Ｄ１１の値は、可変となっている。図２（Ａ）および図３（Ａ）のレンズデータには、これら可変の面間隔Ｄ４，Ｄ１１の値として最大値と最小値とを記す。
【００４６】
図２（Ａ）に示したように、実施例１に係るズームレンズは、第１レンズＧ１、第５レンズＧ５および第６レンズＧ６が、合成樹脂製のレンズとなっている。また図３（Ａ）に示したように、実施例２に係るズームレンズは、第１レンズＧ１、および第５レンズＧ５が、合成樹脂製のレンズとなっている。
【００４７】
図２（Ａ）および図３（Ａ）に示した各レンズデータにおいて、面番号の左側に付された記号「＊」は、そのレンズ面が非球面形状であることを示す。実施例１，２のズームレンズは共に、第１レンズＧ１の両面Ｓ１，Ｓ２、第３レンズＧ３の両面Ｓ６，Ｓ７および第５レンズＧ５の両面Ｓ１０，Ｓ１１が非球面形状となっている。図２（Ａ）および図３（Ａ）の基本レンズデータには、これらの非球面の曲率半径として、光軸近傍（近軸近傍）の曲率半径の数値を示している。
【００４８】
図２（Ｂ）および図３（Ｂ）に示した各非球面データの数値において、記号“Ｅ”は、その次に続く数値が１０を底とした“べき指数”であることを示し、その１０を底とした指数関数で表される数値が“Ｅ”の前の数値に乗算されることを示す。例えば、「１．０Ｅ−０２」であれば、「１．０×１０-2」であることを示す。
【００４９】
各非球面データには、以下の式（Ａ）によって表される非球面形状の式における各係数Ａi，ＫＡの値を記す。Ｚは、より詳しくは、光軸から高さｈの位置にある非球面上の点から、非球面の頂点の接平面（光軸に垂直な平面）に下ろした垂線の長さ（ｍｍ）を示す。
【００５０】
Ｚ＝Ｃ・ｈ2／｛１＋（１−ＫＡ・Ｃ2・ｈ2）1/2｝＋ΣＡi・ｈi  ……（Ａ）
ただし、
Ｚ：非球面の深さ（ｍｍ）
ｈ：光軸からレンズ面までの距離（高さ）（ｍｍ）
ＫＡ：離心率
Ｃ：近軸曲率＝１／Ｒ
（Ｒ：近軸曲率半径）
Ａi：第ｉ次（ｉ＝３〜１０）の非球面係数
【００５１】
図２（Ｂ）に示したように、実施例１に係るズームレンズは、第１レンズＧ１の両面Ｓ１，Ｓ２が、非球面係数Ａiとして、偶数次の項のみならず奇数次の項をも有効に用いて構成され、第３レンズＧ３の両面Ｓ６，Ｓ７および第５レンズＧ５の両面Ｓ１０，Ｓ１１が、偶数次の項のみを有効に用いて構成されている。また図３（Ｂ）に示したように、実施例２に係るズームレンズは、第１レンズＧ１の両面Ｓ１，Ｓ２および第５レンズＧ５の両面Ｓ１０，Ｓ１１が、非球面係数Ａiとして偶数次の項のみならず奇数次の項をも有効に用いて構成され、第３レンズＧ３の両面Ｓ６，Ｓ７が、偶数次の項のみを有効に用いて構成されている。
【００５２】
図４に、上述の各条件式に関する値を、各実施例についてまとめて示す。図４に示したように、各実施例の値が、各条件式（１），（２），（２−２），（３）〜（５）の数値範囲内となっている。実施例１については、さらに条件式（２Ａ）の数値範囲を満足している。
【００５３】
図５（Ａ）〜（Ｃ）は、実施例１のズームレンズにおける広角端での球面収差、非点収差、およびディストーション（歪曲収差）を示している。図６（Ａ）〜（Ｃ）は、望遠端での同様の収差を示している。各収差図には、波長５４０ｎｍを基準波長とした収差を示すが、球面収差図および非点収差図には、波長４２０ｎｍ，６８０ｎｍについての収差も示す。非点収差図において、実線はサジタル方向、破線はタンジェンシャル方向の収差を示す。ＦＮＯ．はＦ値、ωは半画角を示す。
【００５４】
同様にして、実施例２についての諸収差を図７（Ａ）〜（Ｃ）（広角端）、および図８（Ａ）〜（Ｃ）（望遠端）に示す。
【００５５】
以上の各数値データおよび各収差図から分かるように、各実施例について、小型の情報端末機器への搭載に適した、コンパクトで高性能なズーム光学系が実現できている。
【００５６】
なお、本発明は、上記実施の形態および各実施例に限定されず種々の変形実施が可能である。例えば、各レンズ成分の曲率半径、面間隔および屈折率の値などは、上記各数値実施例で示した値に限定されず、他の値をとり得る。
【図面の簡単な説明】
【００５７】
【図１】本発明の一実施の形態に係るズームレンズの一構成例を示すものであり、実施例１に対応するレンズ断面図である。
【図２】実施例１に係るズームレンズのレンズデータを示す図である。
【図３】実施例２に係るズームレンズのレンズデータを示す図である。
【図４】各実施例に係るズームレンズが満たす条件式に関する値を示す図である。
【図５】実施例１に係るズームレンズの広角端での球面収差、非点収差、およびディストーションを示す収差図である。
【図６】実施例１に係るズームレンズの望遠端での球面収差、非点収差、およびディストーションを示す収差図である。
【図７】実施例２に係るズームレンズの広角端での球面収差、非点収差、およびディストーションを示す収差図である。
【図８】実施例２に係るズームレンズの望遠端での球面収差、非点収差、およびディストーションを示す収差図である。
【符号の説明】
【００５８】
１１…第１群、１２…第２群、１３…第３群、ＧＣ…カバーガラス、Ｇ１〜Ｇ６…第１レンズ〜第６レンズ、Ｒｉ…物体側から第ｉ番目のレンズ面の曲率半径、Ｄｉ…物体側から第ｉ番目と第ｉ＋１番目のレンズ面との面間隔、Ｓｉｍｇ…結像面（撮像面）、Ｚ１…光軸。
【図１】
2005274663.tif 000003
【図２】
2005274663.tif 000004
【図３】
2005274663.tif 000005
【図４】
2005274663.tif 000006
【図５】
2005274663.tif 000007
【図６】
2005274663.tif 000008
【図７】
2005274663.tif 000009
【図８】
2005274663.tif 000010